(57)【要約】【目的】  本発明の目的は、こじられたとしても、湾曲部付近の変形を抑止することができるコネクタ及び電子機器を提供する。【構成】  コネクタは、絶縁性を有する第１、第２ボディ１００ａ、１００ｂと、第１ボディ１００ａに設けられた複数の第１、第２コンタクト２００ａ、２００ｂと、第２ボディ１００ｂに設けられた第３、第４２００ｃ、２００ｄと、第１、第２ボディ１００ａ、１００ｂが挿入された筒状のシールドケース３００とを備えている。シールドケース３００は、底板部３１０の中央部が内側に湾曲しており且つ挿入方向γに延びた仕切り部３１１と、この仕切り部３１１の裏側に設けられ且つ挿入方向γに延びた凹部３１２とを有している。第１ボディ１００ａの挿入方向γの前面には凹部３１２の一部に嵌合する補強部材１６０ａが設けられている。【選択図】      図１
2011243543.tif 000002
【特許請求の範囲】
【請求項１】
絶縁性を有するボディと、
このボディに設けられたコンタクトと、
前記ボディが挿入された筒状のシールドケースと、
補強部材とを備えており、
前記シールドケースは、該シールドケースの一部が内側に湾曲し且つ前記ボディの挿入方向に延びた湾曲部と、
この湾曲部の裏側に設けられ且つ前記挿入方向に延びた凹部とを有しており、
前記補強部材が前記凹部の少なくとも一部に嵌合しているコネクタ。
【請求項２】
請求項１記載コネクタにおいて、
前記補強部材が前記凹部の全部に嵌合しているコネクタ。
【請求項３】
請求項１又は２記載のコネクタにおいて、
前記ボディは、前記挿入方向の第１面と、前記挿入方向の前記第１面の反対側の第２面とを有しており、
前記補強部材が前記ボディの前記第１面に突設されているコネクタ。
【請求項４】
請求項１乃至３のいずれかに記載のコネクタにおいて、
前記湾曲部が、前記シールドケースの内部空間を第１、第２スロットとして仕切っているコネクタ。
【請求項５】
請求項１乃至３のいずれかに記載のコネクタにおいて、
前記湾曲部が、相手方コネクタのキー溝に挿入可能なキー部として機能するコネクタ。
【請求項６】
請求項４又は５記載のコネクタにおいて、
前記シールドケースは、導電性を有する板が筒状に折り曲げられ且つ端部同士が接合された構成となっているコネクタ。
【請求項７】
請求項１乃至６のいずれかに記載のコネクタを外部インターフェースとして備えている電子機器。
【発明の詳細な説明】
【技術分野】
【０００１】
本発明は、シールドケースを有するコネクタ及びこれを備えた電子機器に関する。
【背景技術】
【０００２】
この種のコネクタとしては、角筒状のシールドケースと、このシールドケースに挿入されたボディと、このボディに設けられたコンタクトとを備え、シールドケースが、天板部と、この天板部に対向する底板部とを有し、この底板部の中央部に天板部に向けて略Ｕ字状に湾曲する湾曲部が設けられているものがある。前記湾曲部は、前記底板部のボディ挿入方向の第１端からその反対側の第２端にわたって延びており、前記シールドケースの内部空間を相手方コネクタが各々嵌合可能な第１、第２スロットとして仕切っている（特許文献１参照）。
【先行技術文献】
【特許文献】
【０００３】
【特許文献１】特開２００９−２７７４９７号公報
【発明の概要】
【発明が解決しようとする課題】
【０００４】
ところが、シールドケースは湾曲部を有しているため、第１又は第２スロットに相手方コネクタが嵌合した状態で、周方向にこじられると、その応力が湾曲部に集中し易く、湾曲部周辺に変形が生じる恐れがあった。
【０００５】
本発明は、上記事情に鑑みて創案されたものであって、その目的とするところは、こじられたとしても、湾曲部付近の変形を抑止することができるコネクタ及び電子機器を提供することにある。
【課題を解決するための手段】
【０００６】
上記課題を解決するために、本発明のコネクタは、絶縁性を有するボディと、このボディに設けられたコンタクトと、前記ボディが挿入された筒状のシールドケースと、補強部材とを備えている。前記シールドケースは、該シールドケースの一部が内側に湾曲しており且つ前記ボディの挿入方向に延びた湾曲部と、この湾曲部の裏側に設けられ且つ前記挿入方向に延びた凹部とを有している。前記補強部材は前記凹部の少なくとも一部に嵌合している。
【０００７】
このようなコネクタによる場合、湾曲部の裏側の凹部の少なくとも一部に補強部材が嵌合しているので、シールドケース内に相手方コネクタが挿入され、こじられたとしても、湾曲部周辺の変形を抑止することができる。その結果、本コネクタのこじり強度の向上を図ることができる。
【０００８】
前記補強部材が前記凹部の全部に嵌合した構成とすることが可能である。この場合、湾曲部の裏側の凹部の全部に補強部材が嵌合しているので、更に湾曲部周辺の変形を抑止することができ、且つ、本コネクタのこじり強度の向上を図ることができる。
【０００９】
前記ボディは、前記挿入方向の第１面と、前記挿入方向の前記第１面の反対側の第２面とを有する場合、前記補強部材が前記ボディの前記第１面に突設されていることが好ましい。このように補強部材をボディに突設し、一体化することにより、部品点数を低減することができる。また、補強部材がボディの挿入方向の第１面に設けられているので、ボディをシールドケースに挿入すると共に、補強部材を凹部に挿入し嵌合させることが可能になる。よって、本コネクタの組み立て工数の低減も図ることができる。
【００１０】
前記湾曲部が、前記シールドケースの内部空間を第１、第２スロットとして仕切った構成とすることが可能である。或いは、前記湾曲部が、相手方コネクタのキー溝に挿入可能なキー部として機能する構成とすることも可能である。
【００１１】
前記シールドケースは、導電性を有する板が筒状に折り曲げられ且つ端部同士が接合された構成とすることが可能である。この場合、湾曲部の裏側の凹部の少なくとも一部に補強部材が嵌合していることにより、湾曲部周辺の変形が抑止されると共に、接合部が外れ、開放されることを抑止することができる。
【００１２】
本発明の電子機器は上記コネクタを外部インターフェースとして備えている。
【図面の簡単な説明】
【００１３】
【図１】本発明の実施例１に係るコネクタの概略的斜視図であって、（ａ）が正面、平面及び右側面側から表した図、（ｂ）が背面、平面及び右側面側から表した図である。
【図２】前記コネクタの概略図であって、（ａ）が正面図、（ｂ）が背面図、（ｃ）が平面図、（ｄ）が底面図、（ｅ）が右側面図、（ｆ）が左側面図である。
【図３】（ａ）は前記コネクタの図２（ａ）のＡ−Ａ断面図、（ｂ）は前記コネクタの図２（ａ）のＢ−Ｂ断面図、（ｃ）は前記コネクタの図２（ａ）のＣ−Ｃ断面図、（ｄ）は前記コネクタの図２（ａ）のＤ−Ｄ断面図である。
【図４】前記コネクタの正面、平面及び右側面側から表した分解斜視図である。
【図５】前記コネクタの背面、底面及び左側面側から表した分解斜視図である。
【図６】前記コネクタのシールドケースのパッドが基板の電極に半田接続された状態を示す説明図である。
【図７】前記コネクタに接続されるプラグコネクタを示す平面図であって、（ａ）が一体型のプラグコネクタを示す図、（ｂ）が前記コネクタの第１スロットに接続される単体プラグコネクタを示す図、（ｃ）が前記コネクタの第２スロットに接続される単体プラグコネクタを示す図である。
【図８】本発明の実施例２に係るコネクタの概略的斜視図であって、（ａ）が正面、平面及び右側面側から表した斜視図、（ｂ）が背面、平面及び右側面側から表した斜視図である。
【図９】前記コネクタの概略図であって、（ａ）が正面図、（ｂ）が背面図、（ｃ）が平面図、（ｄ）が底面図、（ｅ）が右側面図、（ｆ）が左側面図である。
【図１０】（ａ）は前記コネクタの図９（ａ）のＡ−Ａ断面図、（ｂ）は前記コネクタの図９（ａ）のＢ−Ｂ断面図、（ｃ）は前記コネクタの図９（ａ）のＣ−Ｃ断面図、（ｄ）は前記コネクタの図９（ａ）のＤ−Ｄ断面図である。（ｅ）が図９（ａ）のＥ−Ｅ断面図である。
【図１１】前記コネクタの正面、平面及び右側面側から表した分解斜視図である。
【図１２】前記コネクタの背面、底面及び左側面側から表した分解斜視図である。
【図１３】本発明に係るコネクタの設計変形例を示す概略的正面図である。
【図１４】実施例２に係るコネクタの設計変形例を示す背面、平面及び右側面側から表した概略的斜視図である。
【発明を実施するための形態】
【００１４】
以下、本発明の実施例１及び２について説明する。
【実施例１】
【００１５】
まず、本発明の実施例１に係るレセプタクルコネクタについて図１乃至図７を参照しつつ説明する。図１乃至図３に示すレセプタクルコネクタは、テレビジョン受像機等の電子機器の基板１０に実装され、該電子機器の外部インターフェースとして用いられるコネクタである。このレセプタクルコネクタは、第１、第２ボディ１００ａ、１００ｂと、複数の第１、第２、第３、第４コンタクト２００ａ、２００ｂ、２００ｃ、２００ｄと、シールドケース３００とを備えている。以下、各部について詳しく説明する。
【００１６】
シールドケース３００は、図１乃至図５に示すように、導電性を有する金属板が略角筒状にプレス成型されたものである。このシールドケース３００は、底板部３１０と、天板部３２０と、一対の側板部３３０と、一対のロック片３４０とを有している。底板部３１０は天板部３２０に対向する略矩形状の板であって、その外面が基板１０上に設置可能となっている。底板部３１０の幅方向の両端には、側板部３３０が立設されている。側板部３３０の上端の間が天板部３２０により連結されている。底板部３１０の奥行き寸法（後述する挿入方向γの長さ寸法）は、図３に示すように、天板部３２０及び側板部３３０の奥行き寸法よりも短くなっている。底板部３１０、天板部３２０の先端部及び側板部３３０の先端部がシールドケース３００の内部空間を区画し、天板部３２０及び側板部３３０の底板部３１０の後端部が、第１、第２ボディ１００ａ、１００ｂが後方から挿入され、収容される収容空間を区画している。なお、図４及び図５において、第１、第２ボディ１００ａ、１００ｂが前記収容空間に挿入される方向を挿入方向γとして表している。
【００１７】
また、底板部３１０の中央部には、図１（ａ）及び図２（ａ）に示すように、天板部３２０に向けて下向き略Ｕ字状に湾曲した湾曲部が設けられている。この湾曲部がシールドケース３００の前記内部空間を第１、第２スロットα、βに仕切る仕切り部３１１となっている。また、仕切り部３１１の裏側には断面下向き略Ｕ字状の凹部３１２が形成されている。仕切り部３１１及び凹部３１２は、図５に示すように、底板部３１０の挿入方向γの先端から後端までの全域にわたって延存している。凹部３１２は、矩形状の上側凹部３１２ａと、両縁部が下方に向けて漸次拡大する下側凹部３１２ｂとを有している。この下側凹部３１２ｂの両内面は、底板部３１０の外面に対して傾斜している。底板部３１０の外面の下側凹部３１２ｂの両内面との境界部分には、図５及び図６に示すように、第１、第２端部３１５ａ、３１５ｂを有する略Ｕ字状の第１凹部３１５が各々設けられている。この第１凹部３１５は第１、第２端部３１５ａ、３１５ｂの間の開放部が内側に向いている。下側凹部３１２ｂの両内面の底板部３１０の外面との境界部分には、第１凹部３１５の第１、第２端部３１５ａ、３１５ｂに連通する矩形状の一対の第２凹部３１６が各々設けられている。この第１、第２凹部３１５、３１６に区画された部分が基板１０の一対のグランド電極１１に各々半田接続可能なパッド３１７となっている。パッド３１７は、第１、第２パッド部３１７ａ、３１７ｂを有する。第１パッド部３１７ａは底板部３１０の外面に設けられた部位である。第１パッド部３１７ａの表面と底板部３１０の外面とは、高さ位置が同じになっている（すなわち、面一である。）。第２パッド部３１７ｂは下側凹部３１２ｂの両内面に設けられた部位であって、第１パッド部３１７ａに対して傾斜している。第２パッド部３１７ｂの表面と下側凹部３１２ｂの両内面とは、高さ位置が同じになっている（すなわち、面一である。）。なお、グランド電極１１は、第１パッド部３１７ａに接触可能な部分と第２パッド部３１７ｂ側に延設された部分とを有する略矩形状の表面電極である。
【００１８】
また、底板部３１０の第２スロットβ部分には、接合部３１８が設けられている。この接合部３１８はシールドケース３００を構成する金属板の端部同士を接合しカシメた部分である。このように底板部３１０の第２スロットβ部分にシールドケース３００の接合部を設けることにより、シールドケース３００の第１、第２スロットα、β部分の強度低下を抑制している。第１スロットαの内形は、図７（ａ）に示すプラグコネクタ２０のＨＤＭＩ（High-Definition Multimedia Interface・登録商標）  Ｔｙｐｅ  Ｄ用の接続部２１又は図７（ｂ）に示すプラグコネクタ３０のＨＤＭＩ  Ｔｙｐｅ  Ｄ用の接続部３１の外形に対応した形状となっている。また、第２スロットβの内形は、図７（ａ）に示すプラグコネクタ２０のＨＤＭＩ以外の規格に対応した接続部２２又は図７（ｃ）に示すプラグコネクタ４０のＨＤＭＩ以外の規格に対応した接続部４１の外形に対応した形状となっている。すなわち、第１スロットαに接続部２１又は接続部３１が挿入可能となっており、第２スロットβに接続部２２又は接続部４１が挿入可能となっている。また、底板部３１０の第１、第２スロットα、β部分の後面は、図３（ｂ）乃至図３（ｄ）に示すように、第１ボディ１００ａの後述する一対の突脈１５０ａの前面に当接する当止面３１３、３１４となっている。
【００１９】
天板部３２０は、図１に示すように、略矩形状の板部である。天板部３２０には、その一部がカットされ形成された２つの係止片３２１と、２つの係止片３２２とが設けられている。係止片３２１、３２２の先端部が下方に向けて円弧状に折り曲げられている。係止片３２１の先端部は、第１スロットαに挿入されたプラグコネクタ２０の接続部２１又はプラグコネクタ３０の接続部３１に弾性的に接触し、該接続部２１又は接続部３１を保持するようになっている。同様に、係止片３２２の先端部は、第２スロットβに挿入されたプラグコネクタ２０の接続部２２又はプラグコネクタ４０の接続部４１に弾性的に接触し、該接続部２２又は接続部４１を保持するようになっている。また、天板部３２０の係止片３２１、３２２の後方部分の一部は、切り下げられ、下方に凸の当止部３２３、３２４となっている。
【００２０】
側板部３３０の下端には、前側端子３３１と、後側端子３３２とが垂下されている。前側端子３３１は、底板部３１０の幅方向の両端部の一部分がカットされ、下方に向けて折り曲げられた片部材である。後側端子３３２は、底板部３１０の奥行き寸法を天板部３２０及び側板部３３０よりも短くするために切り落とされる板部の一部を切り落とされる前にカットし、下方に向けて折り曲げられた片部材である。前側端子３３１及び後側端子３３２は、基板１０の図示しないスルーホール電極に各々挿入可能となっている。側板部３３０の後端にはロック片３４０が延設されている。
【００２１】
第１ボディ１００ａは絶縁樹脂製の射出成型品である。この第１ボディ１００ａは、図３乃至図５に示すように、本体部１１０ａと、第１、第２凸部１２０ａ、１３０ａと、一対のガイド部１４０ａと、一対の突脈１５０ａと、補強部材１６０ａと、一対の係止凸部１７０ａとを有している。本体部１１０ａは断面視略矩形状の板体である。この本体部１１０ａには、挿入方向γに貫通する複数の第１、第２孔部１１１ａ、１１２ａが第１ボディ１００ａの幅方向に間隔をあけて一列で設けられている。また、本体部１１０ａの挿入方向γの前面の上端部には、矩形状の切欠き部１１３ａ、１１４ａ（図３及び４参照）が設けられている。切欠き部１１３ａ、１１４ａには、シールドケース３００の当止部３２３、３２４が挿入され、該切欠き部１１３ａ、１１４ａの奥側面に当止部３２３、３２４が前方から当接するようになっている。
【００２２】
また、本体部１１０ａの挿入方向γの前面（ボディの第１面）の中央部には、第１、第２スロットα、βに挿入される板状の第１、第２凸部１２０ａ、１３０ａが設けられている。この第１、第２凸部１２０ａ、１３０ａの外形は、図７に示すプラグコネクタ２０の接続部２１、２２の図示しない接続孔に嵌合し得る形状となっている。この第１、第２凸部１２０ａ、１３０ａの下面には、複数の第１、第２長溝１２１ａ、１３１ａが前記幅方向に間隔をあけて一列で設けられている。第１、第２凸部１２０ａ、１３０ａの上面には、第１、第２孔部１１１ａ、１１２ａに連通する複数の第３、第４長溝１２２ａ、１３２ａが前記幅方向に間隔をあけて一列で設けられている。また、第１、第２、第３、第４長溝１２１ａ、１２２ａ、１３１ａ、１３２ａは、挿入方向γに沿って延びている。第３長溝１２２ａは、平面位置的に、隣り合う第１長溝１２１ａの間に位置している。第４長溝１３２ａは、平面位置的に、隣り合う第２長溝１３１ａの間に位置している。換言すると、図２（ａ）に示すように、第１長溝１２１ａと第３長溝１２２ａとは千鳥配置されており、第２長溝１３１ａと第４長溝１３２ａとは千鳥配置されている。
【００２３】
また、本体部１１０ａの前面の中央下端部には、図４に示すように、略Ｌ字状の補強部材１６０ａが設けられている。この補強部材１６０ａは、略三角柱のアーム部１６１ａと、角柱の突起１６２ａとを有している。アーム部１６１ａは、本体部１１０ａの前面から前方に延びた略三角柱である。突起１６２ａは、アーム部１６１ａの先端部に上方に向けて突設された角柱である。突起１６２ａがシールドケース３００の凹部３１２の上側凹部３１２ａに嵌合し、アーム部１６１ａが該凹部３１２の下側凹部３１２ｂに嵌合している。このように補強部材１６０ａがシールドケース３００の凹部３１２の一部に嵌合している。アーム部１６１ａの下面には、円柱状の一対の係止凸部１７０ａが設けられている。この係止凸部１７０ａは基板１０の図示しない係止孔に挿入可能になっている。
【００２４】
また、本体部１１０ａには、図５に示すように、複数の第１、第２コンタクト２００ａ、２００ｂが各々前記幅方向に間隔をあけて一列で配列されている。第１コンタクト２００ａは、図３（ｂ）に示すように、導電性を有する細長い金属板であって、埋設部２１０ａと、接触部２２０ａと、テール部２３０ａとを有している。埋設部２１０ａは本体部１１０ａに埋設された下向き略Ｌ字状の部位であって、後端部が本体部１１０ａから下方に突出している。接触部２２０ａは、埋設部２１０ａの先端に連続する直線状の部位であって、第１凸部１２０ａの第１長溝１２１ａに挿入されている。テール部２３０ａは埋設部２１０ａの後端に連続し且つ埋設部２１０ａの後端部に対して直角に折り曲げられた平板状の部位である。第２コンタクト２００ｂは、図３（ｄ）に示すように、導電性を有する細長い金属板であって、埋設部２１０ｂと、接触部２２０ｂと、テール部２３０ｂとを有している。この第２コンタクト２００ｂは、接触部２２０ｂが第２凸部１３０ａの第２長溝１３１ａに挿入されている以外、第１コンタクト２００ａと同じである。したがって、第２コンタクト２００ｂの各部について、第１コンタクト２００ａと重複する説明は省略する。
【００２５】
また、本体部１１０ａの下面には一対の突脈１５０ａが設けられている。この突脈１５０ａがシールドケース３００の底板部３１０の当止面３１３、３１４に前方から当接している。また、本体部１１０ａの挿入方向γの後面（ボディの第２面）の幅方向の両端部には一対のガイド部１４０ａが設けられている。ガイド部１４０ａの上面はシールドケース３００の天板部３２０に当接している。これにより、第１ボディ１００ａ及びこれに組み合わされた第２ボディ１００ｂのシールドケース３００の天板部３２０に対する平行度が向上している。また、本体部１１０ａの後面には、図５に示すように、第１、第２孔部１１１ａ、１１２ａの間と第２孔部１１２ａの外側とに嵌合穴部１１５ａが各々設けられている。
【００２６】
第２ボディ１００ｂは、図３乃至図５に示すように、絶縁樹脂製の射出成型品であって、本体部１１０ｂと、一対の嵌合凸部１２０ｂと、一対の山部１３０ｂとを有している。本体部１１０ｂは、断面視略Ｌ字状の部位であって、その幅寸法が第１ボディ１００ａのガイド部１４０ａの間の寸法よりも若干小さくなっている。この第２ボディ１００ｂが第１ボディ１００ａのガイド部１４０ａの間に挿入され、第１、第２ボディ１００ａ、１００ｂが挿入方向γに前後に組み合わせられている。本体部１１０ｂの挿入方向γの前面には、図４に示すように、嵌合穴部１１５ａに対応する位置に一対の嵌合凸部１２０ｂが設けられている。この嵌合凸部１２０ｂは、円柱状の突起であって、第１ボディ１００ａの嵌合穴部１１５ａに嵌合している。嵌合凸部１２０ｂが嵌合穴部１１５ａに嵌合することにより、第１、第２ボディ１００ａ、１００ｂが組み合わせられた状態で維持されている。また、本体部１１０ｂの挿入方向γの後面の幅方向の両端部には、一対の山部１３０ｂが設けられている。この山部１３０ｂの先端部は、第１、第２ボディ１００ａ、１００ｂが組み合わせられた状態で、第１ボディ１００ａのガイド部１４０ａよりも後方に突出する高さ寸法を有している。この山部１３０ｂの先端部に、シールドケース３００の略Ｌ字状に折り曲げられたロック片３４０が当接している。これにより、シールドケース３００の収容空間に収容された第１、第２ボディ１００ａ、１００ｂが、ロック片３４０と、底板部３１０の仕切り部３１１、当止面３１３、３１４、及び天板部３２０の当止部３２３、３２４との間で挟持され、上記収容空間内に固定されている。なお、図４及び図５では、ロック片３４０は折り曲げる前の真っ直ぐな状態で表している。
【００２７】
本体部１１０ｂには、図４に示すように、複数の第３、第４コンタクト２００ｃ、２００ｄが各々幅方向に第１、第２孔部１１１ａ、１１２ａと同じ間隔で一列に配列されている。第３、第４コンタクト２００ｃ、２００ｄは第１、第２コンタクト２００ａ、２００ｂ上側位置（すなわち、異なる高さ位置）に配置されている。第３コンタクト２００ｃは、図３（ａ）に示すように、導電性を有する細長い金属板であって、埋設部２１０ｃと、接触部２２０ｃと、テール部２３０ｃとを有している。埋設部２１０ｃは、本体部１１０ｂに埋設された部位であって、斜めに傾斜した中間部と、この中間部に対して折り曲げられた先端部と、前記中間部に対して折り曲げられ、下方に垂下された後端部とを有している。この埋設部２１０ｃの先端部及び中間部が本体部１１０ｂ内に埋設されている。埋設部２１０ｃの後端部は本体部１１０ｂから下方に突出している。接触部２２０ｃは埋設部２１０ｃの先端に連続し且つ本体部１１０ｂの前面から突出した平板である。この接触部２２０ｃは、第１接触部２２０ａよりも第１ボディ１００ａの本体部１１０ｂの圧み分長い。この接触部２２０ｃが第１ボディ１００ａの第１孔部１１１ａ及び第３長溝１２２ａに挿入されている。テール部２３０ｃは埋設部２１０ｃの後端に連続し且つ埋設部２１０ｃの後端部に対して直角に折り曲げられた平板状の部位である。第４コンタクト２００ｄは、図３（ｃ）に示すように、導電性を有する細長い金属板であって、埋設部２１０ｄと、接触部２２０ｄと、テール部２３０ｄとを有している。この第４コンタクト２００ｄは、接触部２２０ｄが第２凸部１３０ａの第４長溝１３２ａに挿入されている以外、第３コンタクト２００ｃと同じである。したがって、第４コンタクト２００ｄの各部について、第３コンタクト２００ｃと重複する説明は省略する。
【００２８】
第１長溝１２１ａに挿入された接触部２２０ａと第３長溝１２２ａに挿入された接触部２２０ｃとは千鳥配置されている。換言すると、第３コンタクト２００ｃの接触部２２０ｃが、平面位置的に、隣り合う第１コンタクト２００ａの接触部２２０ａの間に配置されている。この接触部２２０ａ、２２０ｃは、第１凸部１２０ａと共に第１スロットαに挿入され、該第１スロットαに挿入されるプラグコネクタ２０の接続部２１又はプラグコネクタ３０の接続部３１の下側、上側コンタクトに接触可能となっている。同様に、第２長溝１３１ａに挿入された接触部２２０ｂと第４長溝１３２ａに挿入された接触部２２０ｄとは千鳥配置されている。換言すると、第４コンタクト２００ｄの接触部２２０ｄが、平面位置的に、隣り合う第２コンタクト２００ｂの接触部２２０ｂの間に配置されている。この接触部２２０ｂ、２２０ｄは、第２凸部１３０ａと共に第２スロットβに挿入され、該第２スロットβに挿入されるプラグコネクタ２０の接続部２２又はプラグコネクタ４０の接続部４１の下側、上側コンタクトに接触可能となっている。また、テール部２３０ａ、２３０ｃは、下面が同一高さとなっており且つ挿入方向γに前後二列に配列されている。テール部２３０ｂ、２３０ｄも、下面が同一高さとなっており且つ挿入方向γに前後二列に配列されている。テール部２３０ａ、２３０ｂ、２３０ｃ、２３０ｄが基板１０の図示しない表面電極に各々半田接続可能となっている。
【００２９】
以下、上述した構成のレセプタクルコネクタの組み立て手順について説明する。まず、図４及び図５に示すように、第１ボディ１００ａに第１、第２コンタクト２００ａ、２００ｂの埋設部２１０ａ、２１０ｂを、第２ボディ１００ｂに第３、第４コンタクト２００ｃ、２００ｄの埋設部２１０ｃ、２１０ｄをインサート成形により埋設する。これにより、第１、第２コンタクト２００ａ、２００ｂが第１ボディ１００ａに幅方向に一列で配列され、第３、第４コンタクト２００ｃ、２００ｄが第２ボディ１００ｂに幅方向に一列で配列される。このとき、第１、第２コンタクト２００ａ、２００ｂの接触部２２０ａ、２２０ｂが第１ボディ１００ａの第１、第２長溝１２１ａ、１３１ａに挿入される。
【００３０】
その後、第１、第２ボディ１００ａ、１００ｂを相対的に接近させ、第２ボディ１００ｂの第３、第４コンタクト２００ｃ、２００ｄの接触部２２０ｃ、２２０ｄを第１ボディ１００ａの第１、第２孔部１１１ａ、１１２ａ及び第３、第４長溝１２２ａ、１３２ａに挿入する。これにより、接触部２２０ａと接触部２２０ｃとが異なる高さ位置で千鳥配置され、接触部２２０ｂと接触部２２０ｄとが異なる高さ位置で千鳥配置される。これと共に、第１ボディ１００ａの一対のガイド部１４０ａに第２ボディ１００ｂの幅方向の両端をガイドさせつつ、該第２ボディ１００ｂを第１ボディ１００ａのガイド部１４０ａの間に挿入する。すると、第２ボディ１００ｂの嵌合凸部１２０ｂが第１ボディ１００ａの嵌合穴部１１５ａに嵌合する。これにより、第１、第２ボディ１００ａ、１００ｂが挿入方向γに前後に組み合わされ、テール部２３０ａ、２３０ｃが同一高さで且つ挿入方向γに前後二列に配置されると共に、テール部２３０ｂ、２３０ｄが同一高さで且つ挿入方向γに前後二列に配置される。
【００３１】
その後、第１ボディ１００ａの補強部材１６０ａをシールドケース３００の凹部３１２に挿入し、該補強部材１６０ａの突起１６１ａを凹部３１２の上側凹部３１２ａに、アーム部１６２ａを下側凹部３１２ｂに嵌合させる。このとき、補強部材１６０ａが凹部３１２に挿入方向γにガイドされる。これと共に、側板部３３０に沿って真っ直ぐな状態のロック片３４０の間に、第１、第２ボディ１００ａ、１００ｂを挿入する。このとき、第１ボディ１００ａの幅方向の両端がロック片３４０にガイドされつつ、第１、第２ボディ１００ａ、１００ｂがシールドケース３００の収容空間に後方から挿入方向γに沿って挿入され、第１ボディ１００ａの第１、第２凸部１２０ａ、１３０ａがシールドケース３００の第１、第２スロットα、βに挿入される。すると、第１ボディ１００ａの本体部１１０ｂの前面が仕切り部３１１に当接する。これと共に、第１ボディ１００ａの突脈１５０ａがシールドケース３００の底板部３１０の当止面３１３、３１４に各々当接し、シールドケース３００の天板部３２０の当止部３２３、３２４が第１ボディ１００ａの切欠き部１１３ａ、１１４ａに挿入され、該切欠き部１１３ａ、１１４ａの奥側面に当接する。また、第１ボディ１００ａのガイド部１４０ａがシールドケース３００の天板部３２０に当接する。
【００３２】
この状態で、ロック片３４０を内側に各々折り曲げ、第２ボディ１００ｂの山部１３０ｂに各々当接させる。これにより、ロック片３４０と、底板部３１０の仕切り部３１１、当止面３１３、３１４、及び天板部３２０の当止部３２３、３２４との間で第１、第２ボディ１００ａ、１００ｂが挟持され、第１、第２ボディ１００ａ、１００ｂがシールドケース３００の収容空間に収容された状態で固定される。
【００３３】
このように組み立てられたレセプタクルコネクタは次のように基板１０に実装される。まず、シールドケース３００の前側端子３３１と後側端子３３２を基板１０の上記スルーホール電極に各々挿入する。これと共に、第１ボディ１００ａの係止凸部１７０ａを基板１０の上記係止孔に各々挿入し係止させる。すると、シールドケース３００の底板部３１０の外面が基板１０上に設置され、シールドケース３００のパッド３１７が基板１０の一対のグランド電極１１に各々接触すると共に、テール部２３０ａ、２３０ｂ、２３０ｃ、２３０ｄが基板１０の上記表面電極上に各々接触する。その後、前側端子３３１と後側端子３３２を基板１０の前記スルーホール電極に、パッド３１７を一対のグランド電極１１に、テール部２３０ａ、２３０ｂ、２３０ｃ、２３０ｄが基板１０の前記表面電極に各々半田付けする。このとき、パッド３１７の第２パッド部３１７ｂとグランド電極１１とに半田フィレットが形成される。なお、シールドケース３００は、基板１０の前記スルーホール電極及びグランド電極１１を通じて、該基板１０のグランドラインに電気的に接続され、シールド機能を発揮する。
【００３４】
このようなレセプタクルコネクタによる場合、補強部材１６０ａがシールドケース３００の仕切り部３１１の裏側の凹部３１２に部分的に嵌合しているので、スロットαにプラグコネクタ３０の接続部３１が又はスロットβにプラグコネクタ４０の接続部４１が挿入され、こじられたとしても、仕切り部３１１周辺の変形を抑止することができると共に、接合部３１８が外れ、開放されるのを抑止することができる。よって、本コネクタのこじり強度の向上を図ることができる。また、補強部材１６０ａが第１ボディ１００ａの本体部１１０ａの前面に突設されているので、第１、第２ボディ１００ａ、１００ｂをシールドケース３００に挿入する際に、補強部材１６０ａをシールドケース３００の凹部３１２に嵌合させることができる。よって、本コネクタの組み立て工数の低減を図ることができる。
【００３５】
また、シールドケース３００の底板部３１０の外面及び仕切り部３１１の裏側の凹部３１２の下側凹部３１２ｂの両内面に、第１、第２凹部３１５、３１６が設けられただけであり、第１、第２凹部３１５、３１６に区画された部分がパッド３１７となっている。このパッド３１７の第１パッド部３１７ａは底板部３１０の外面と面一であるので、底板部３１０の外面を基板１０上に設置したとしても、底板部３１０の外面と基板１０との間に隙間が生じない。また、第１パッド部３１７ａは略Ｕ字状の第１凹部３１５に囲われているので、半田接続時に半田が底板部３１０の外面と基板１０との間に広がるのを抑止することができ、底板部３１０の接合部３１８からシールドケース３００内に侵入するのを抑止することができる。また、パッド３１７の第２パッド部３１７ｂは第１パッド部３１７ａに対して傾斜しているので、第２パッド部３１７ｂに半田を塗布することにより、大きな半田フィレットを形成することができる。よって、本レセプタクルコネクタの中央部の基板剥離強度を向上させることができる。しかも、シールドケース３００の前側端子３３１及び後側端子３３２が基板１０のスルーホール電極に各々半田接続されているので、本レセプタクルコネクタの両端部の基板剥離強度を向上させることができる。このように本レセプタクルコネクタは全体として高い基板剥離強度を有する構成となっている。
【００３６】
また、底板部３１０の外面と基板１０との間に隙間が生じないので、本レセプタクルコネクタの実装高さの低減を図ることもできる。更に、パッド３１７は、第１、第２凹部３１５、３１６に囲われた部分であることから、底板部３１０の外面及び仕切り部３１１の裏側の凹部３１２の下側凹部３１２ｂの両内面に、シールドケースの一部を切り下げて接続用端子が作成される場合のように開口が形成されない。よって、半田接続時に底板部３１０の中央部及び仕切り部３１１からシールドケース３００内に半田やフラックスが侵入する抑制することができる。また、底板部３１０の中央部及び仕切り部３１１に前記開口が形成されることによるシールドケース３００のこじり強度の低下を抑制することができる。
【実施例２】
【００３７】
次に、本発明の実施例２について図７乃至図１２を参照しつつ説明する。図８及び図９に示すレセプタクルコネクタは、実施例１と同様のテレビジョン受像機等の電子機器の基板１０に実装され、該電子機器の外部インターフェースとして用いられるコネクタである。このレセプタクルコネクタは、第１、第２ボディ１００ａ’、１００ｂ’の形状が第１、第２ボディ１００ａ、１００ｂの形状と相違し、且つシールドケース３００’の形状がシールドケース３００の形状と相違している以外、実施例１のレセプタクルコネクタと略同じである。よって、その相違点についてのみ詳しく説明し、重複する説明については省略する。なお、第１、第２ボディ及びシールドケースの符号については、’を付して実施例１の第１、第２ボディ及びシールドケースと区別する。
【００３８】
シールドケース３００’は、底板部３１０’の仕切り部３１１’及び凹部３１２’の形状が実施例１のシールドケース３００と相違している。以下、その相違点についてのみ詳しくは説明する。底板部３１０’の中央部は、図８乃至図１２に示すように、下向きＹ字状に湾曲した湾曲部が設けられている。この湾曲部がシールドケース３００’の内部空間を第１、第２スロットα、βに区切る断面下向きＹ字状の仕切り部３１１’となっている。また、仕切り部３１１’の裏側には断面略三角形状の凹部３１２’（仕切り部の凹面）が形成されている。仕切り部３１１’及び凹部３１２’は、図１２に示すように、底板部３１０’の挿入方向γの先端から後端までの全域にわたって延存している。凹部３１２’の両内面は、底板部３１０’の外面に対して傾斜している。底板部３１０’の外面の凹部３１２’の両内面との境界部分には、第１、第２端部３１５ａ’、３１５ｂ’を有する略Ｕ字状の第１凹部３１５’が各々設けられている。この第１凹部３１５’は第１、第２端部３１５ａ’、３１５ｂ’の間の開放部が内側に向いている。凹部３１２’の両内面の底板部３１０’の外面との境界部分には、第１凹部３１５’の第１、第２端部３１５ａ’、３１５ｂ’に連通する矩形状の一対の第２凹部３１６’が各々設けられている。この第１、第２凹部３１５’、３１６’に区画された部分が基板１０の一対のグランド電極１１に各々半田接続可能なパッド３１７’となっている。パッド３１７’は、第１、第２パッド部３１７ａ’、３１７ｂ’を有する。第１パッド部３１７ａ’は底板部３１０’の外面に設けられた部位である。第１パッド部３１７ａ’の表面と底板部３１０’の外面とは、高さ位置が同じになっている（すなわち、面一である。）。第２パッド部３１７ｂ’は凹部３１２’の両内面に設けられた部位であって、第１パッド部３１７ａ’に対して傾斜している。第２パッド部３１７ｂ’の表面と凹部３１２’の両内面とは、高さ位置が同じになっている（すなわち、面一である。）。なお、図８乃至図１２中、３１８’は接合部、３２０’は天板部、３３０’は側板部、３４０’はロック片、３２１’、３２２’は係止片、３２３’、３２４’は当止部、３３１’は前側脚部、３３２’は後側脚部である。
【００３９】
第１ボディ１００ａ’は、本体部１１０ａ’の第２孔部１１２ａ’及び第４長溝１３２ａ’の配列、本体部１１０ａ’の嵌合穴部１１５ａ’が設けられている箇所、本体部１１０ａ’に嵌合凸部１１６ａ’が新に設けられている点、補強部材１６０ａ’の形状及び一対の係止凸部１７０ａ’が設けられている箇所が実施例１の第１ボディ１００ａと相違している。以下、その相違点についてのみ詳しく説明する。第２孔部１１２ａ’及び第４長溝１３２ａ’は、図１１及び図１２に示すように、本体部１１０ａ’に該第２孔部１１２ａ’及び第４長溝１３２ａ’の列の真ん中に間隔を開けて設けられている。このため、第４コンタクト２００ｄの埋設部２１０ｄも、第２ボディ１００ｂ’の本体部１１０ｂ’に該第４コンタクト２００ｄの列の真ん中に間隔を開けて埋設されている。補強部材１６０ａ’は本体部１１０ａの前面に突設された略三角柱状の突脈である。補強部材１６０ａ’の長さ寸法は凹部３１２’の挿入方向γの長さ寸法と同じである。よって、補強部材１６０ａ’は凹部３１２’の全部に嵌合している。また、係止凸部１７０ａ’は一対のガイド部１４０ａ’の下面に突設されている。この係止凸部１７０ａ’も基板１０の図示しない係止孔に各々挿入可能となっている。嵌合凸部１１６ａ’は、本体部１１０ａ’の挿入方向γの後面の中央部に突設された立方体状の突起である。この嵌合凸部１１６ａ’の後面に一対の嵌合穴部１１５ａ’が設けられている。なお、図９乃至図１２中、１２０ａ’は第１凸部、１３０ａ’は第２凸部、１５０ａ’は突脈、１１１ａ’は第１孔部、１１３ａ’、１１４ａ’は凹部、１２１ａ’は第１長溝、１２２ａ’は第２長溝、１３１ａ’は第３長溝である。
【００４０】
第２ボディ１００ｂ’は、本体部１１０ｂ’の挿入方向γの前面の中央部に嵌合凹部１１１ｂ’が新に設けられている点及び嵌合凸部１２０ｂ’が設けられている箇所が実施例１の第２ボディ１００ｂと相違している。以下、その相違点についてのみ詳しく説明する。嵌合凹部１１１ｂ’は略矩形状の窪みであって、嵌合凸部１１６ａ’が嵌まり込んでいる。この嵌合凹部１１１ｂ’の底面には、一対の嵌合凸部１２０ｂ’が設けられている。この嵌合凸部１２０ｂ’が嵌合凸部１１６ａ’の後面の嵌合穴部１１５ａ’に各々嵌合している。また、本体部１１０ｂ’及び山部１３０ｂ’が、図１０に示すように、シールドケース３００’の天板部３２０’の上面に当接している。
【００４１】
以下、上述した構成のレセプタクルコネクタの組み立て手順について説明する。まず、図１１及び図１２に示すように、第１ボディ１００ａ’に第１、第２コンタクト２００ａ、２００ｂの埋設部２１０ａ、２１０ｂを、第２ボディ１００ｂ’に第３、第４コンタクト２００ｃ、２００ｄの埋設部２１０ｃ、２１０ｄをインサート成形により埋設する。これにより、第１、第２コンタクト２００ａ、２００ｂが第１ボディ１００ａ’に幅方向に一列で配列され、第３、第４コンタクト２００ｃ、２００ｄが第２ボディ１００ｂ’に幅方向に一列で配列される。このとき、第１、第２コンタクト２００ａ、２００ｂの接触部２２０ａ、２２０ｂが第１ボディ１００ａ’の第１、第２長溝１２１ａ’、１３１ａ’に挿入される。
【００４２】
その後、第１、第２ボディ１００ａ’、１００ｂ’を相対的に接近させ、第２ボディ１００ｂ’の第３、第４コンタクト２００ｃ、２００ｄの接触部２２０ｃ、２２０ｄを第１ボディ１００ａ’の第１、第２孔部１１１ａ’、１１２ａ’及び第３、第４長溝１２２ａ’、１３２ａ’に挿入する。これにより、接触部２２０ａと接触部２２０ｃとが異なる高さ位置で千鳥配置され、接触部２２０ｂと接触部２２０ｄとが異なる高さ位置で千鳥配置される。これと共に、第１ボディ１００ａ’の一対のガイド部１４０ａ’に第２ボディ１００ｂ’の幅方向の両端をガイドさせつつ、該第２ボディ１００ｂ’を第１ボディ１００ａ’のガイド部１４０ａ’の間に挿入する。すると、第１ボディ１００ａ’の嵌合凸部１１６ａ’が第２ボディ１００ｂ’の嵌合凹部１１１ｂ’に嵌まり込むと共に、第２ボディ１００ｂ’の嵌合凸部１２０ｂ’が第１ボディ１００ａ’の嵌合穴部１１５ａ’に各々嵌合する。これにより、第１、第２ボディ１００ａ’、１００ｂ’が挿入方向γに前後に組み合わされ、テール部２３０ａ、２３０ｃが同一高さで且つ挿入方向γに前後二列に配置されると共に、テール部２３０ｂ、２３０ｄが同一高さで且つ挿入方向γに前後二列に配置される。
【００４３】
その後、第１ボディ１００ａ’の補強部材１６０ａ’をシールドケース３００’の凹部３１２’に嵌合させる。このとき、補強部材１６０ａ’が凹部３１２’に挿入方向γにガイドされる。これと共に、側板部３３０’に沿って真っ直ぐな状態のロック片３４０’の間に、第１、第２ボディ１００ａ’、１００ｂ’を挿入する。このとき、第１ボディ１００ａ’の幅方向の両端がロック片３４０’にガイドされつつ、第１、第２ボディ１００ａ’、１００ｂ’がシールドケース３００’の収容空間に後方から挿入方向γに沿って挿入され、第１ボディ１００ａ’の第１、第２凸部１２０ａ’、１３０ａ’がシールドケース３００’の第１、第２スロットα、βに挿入される。すると、第１ボディ１００ａ’の本体部１１０ｂ’の前面が仕切り部３１１’に当接する。これと共に、第１ボディ１００ａ’の突脈１５０ａ’がシールドケース３００’の底板部３１０’の当止面３１３’、３１４’に各々当接し、シールドケース３００’の天板部３２０’の当止部３２３、３２４’が第１ボディ１００ａ’の切欠き部１１３ａ’、１１４ａ’に挿入され、該切欠き部１１３ａ’、１１４ａ’の奥側面に当接する。また、ガイド部１４０ａ’、本体部１１０ｂ’及び山部１３０ｂ’の上面がシールドケース３００’の天板部３２０’に当接する。
【００４４】
この状態で、ロック片３４０’を内側に各々折り曲げ、第２ボディ１００ｂ’の山部１３０ｂ’に各々当接させる。これにより、ロック片３４０’と、底板部３１０’の仕切り部３１１’、当止面３１３’、３１４’及び天板部３２０’の当止部３２３’、３２４’との間で第１、第２ボディ１００ａ’、１００ｂ’が挟持され、第１、第２ボディ１００ａ’、１００ｂ’がシールドケース３００’の収容空間に収容された状態で固定される。
【００４５】
このように組み立てられたレセプタクルコネクタは次のように基板１０に実装される。まず、シールドケース３００’の前側端子３３１’と後側端子３３２’を基板１０の上記スルーホール電極に各々挿入する。これと共に、第１ボディ１００ａ’の係止凸部１７０ａ’を基板１０の上記係止孔に各々挿入し係止させる。すると、シールドケース３００’の底板部３１０’の外面が基板１０上に設置され、シールドケース３００’のパッド３１７’が基板１０の一対のグランド電極１１に各々接触する。これと共に、テール部２３０ａ、２３０ｂ、２３０ｃ、２３０ｄが基板１０の上記表面電極上に各々接触する。その後、前側端子３３１’と後側端子３３２’を基板１０の前記スルーホール電極に、パッド３１７’を一対のグランド電極１１に、テール部２３０ａ、２３０ｂ、２３０ｃ、２３０ｄが基板１０の前記表面電極に各々半田付けする。このとき、パッド３１７’の第２パッド部３１７ｂ’とグランド電極１１とに半田フィレットが形成される。
【００４６】
このようなレセプタクルコネクタによる場合、補強部材１６０ａ’がシールドケース３００’の仕切り部３１１’の裏側の凹部３１２’に嵌合しているので、スロットαにプラグコネクタ３０の接続部３１が又はスロットβにプラグコネクタ４０の接続部４１が挿入され、こじられたとしても、仕切り部３１１’周辺の変形を抑止することができると共に、接合部３１８’が外れ、開放されるのを抑止することができる。また、補強部材１６０ａ’が凹部３１２’の全部に嵌合しているので、実施例１のコネクタよりも本コネクタのこじり強度を向上させることができる。また、補強部材１６０ａ’が第１ボディ１００ａ’の本体部１１０ａ’の前面に突設されているので、第１、第２ボディ１００ａ’、１００ｂ’をシールドケース３００’に挿入する際に、補強部材１６０ａ’をシールドケース３００’の凹部３１２’に嵌合させることができる。よって、本コネクタの組み立て工数の低減を図ることができる。その他については、上記実施例１のレセプタクルコネクタと同様の効果を得ることができる。
【００４７】
なお、上述したレセプタクルコネクタは、上記実施の形態に限定されるものではなく、特許請求の範囲の記載の範囲において任意に設計変更することが可能である。以下、詳しく述べる。
【００４８】
上記実施例１及び２では、シールドケースは導電性を有する金属板がプレス成型されたものであるとしたが、導電性を有する筒体であって、その内部空間にボディを収容し得るものである限り任意に設計変更することが可能である。例えば、前記シールドケースは、絶縁樹脂やセラミック材等の絶縁材を筒状とし、その外面に導電性を有する金属を蒸着させたものや、導電性を有する金属を筒状に鋳造したものを用いることが可能である。
【００４９】
また、実施例１及び２では、底板部の湾曲部が、シールドケースの内側に湾曲し、シールドケースの底板部の挿入方向の先端（第１端）から後端（第２端）までの全域にわたって延びており且つシールドケースの内部空間を第１、第２スロットとして仕切る仕切り部として機能するとした。しかし、前記湾曲部はシールドケースの一部が内側に湾曲し且つ前記ボディの挿入方向に延びている限り任意に設計変更することが可能である。よって、前記湾曲部は天板部や側板部に設けることが可能である。また、前記湾曲部はシールドケースの底板部、天板部又は側板部の挿入方向の先端（第１端）から後端（第２端）にわたる全域に延存している必要はない。更に、図１３に示すコネクタのように、シールドケース３００’’の底板部３１０’’の湾曲部を相手方コネクタのキー溝に嵌合可能なキー部３１１’’として用いることが可能である。キー部３１１’’が前記キー溝に嵌合することで、キー溝を有していないコネクタや異なるキー溝を有するコネクタの誤挿入を防止することができる。このように湾曲部をキー部３１１’’として用いたとしても、キー部３１１’’の裏側の凹部３１２’’の少なくとも一部にボディ１００’’の本体部１１０’’の挿入方向の前面に突設された補強部材１６０’’が嵌合することにより、キー部３１１’’を補強し、上記実施例１及び２と同様の効果を得ることができる。また、前記湾曲部は、仕切り部やキー部としての機能を有している必要はなく、その他の役割を有しているものや特段の役割を有しておらず、デザイン上シールドケースに設けられているものであっても良い。なお、図１３中、３２０’’は天板部、３３０’’は側板部を示している。
【００５０】
上記実施例１では、補強部材が湾曲部の裏側の凹部の一部に嵌合し、上記実施例２では、補強部材が仕切り部の裏側の凹部の全部に嵌合するとしたが、前記補強部材は前記湾曲部の裏側の凹部の一部に少なくとも嵌合していれば良い。例えば、図１４に示すように、補強部材１６０ａ’’’の挿入方向γの長さ寸法を凹部３１２’の挿入方向γの長さ寸法より短くし、補強部材１６０ａ’’’が凹部３１２’の一部に嵌合するように構成することも可能である。また、上述した補強部材は第１ボディの挿入方向の前面に突設されているとしたが、これに限定されるものではない。例えば、ボディと別体の補強部材を湾曲部の裏側の凹部に嵌合させるようにしても良い。また、前記補強部材は、金属材料やセラミック材等のボディよりも硬い材料で構成することができる。前記補強部材はボディに開設した孔に圧入させたり、ボディにインサート成形したりすることによりボディに取り付けることが可能である。
【００５１】
上記実施例１及び２では、シールドケースは第１、第２スロットを有しているとしたが、図１３に示すコネクタのように、シールドケース３００’’’が一つのスロットα’’を有した構成とすることが可能である。また、シールドケースに複数の湾曲部を設けたり、別途作成した仕切り板をシールドケース内に取り付けたり、湾曲部及び仕切り板の双方を用いたりすることにより、３以上のスロットを有する構成とすることが可能である。また、シールドケースが複数のスロットを有する構成である場合であっても、前記仕切り板を用いてシールドケースの内部空間を仕切り、シールドケースの湾曲部をキー部等として用いることが可能である。
【００５２】
上記実施例１及び２では、パッドを区画する第１、第２凹部が底板部の外面と凹部の下側凹部の両内面との境界部分に設けられているとしたが、第１、第２凹部は、シールドケースの第１面とこの第１面に連続しており且つ該第１面に対して傾斜又は直角な第２面との境界部分に設けられている限りどのような部分に設けても良い。例えば、シールドケースの側板部の外面を底板部の外面に対して傾斜又は直角とし、第１、第２凹部を前記底板部の外面及び前記側板部の外面の境界部分に設けることが可能である。実施例１及び２では、第２凹部は、略矩形状であるとしたが、第１凹部の第１、第２端部に連通する限りどのような形状であっても良い。例えば、第２凹部を湾曲させ、その先端部同士を連通させるようにしても構わない。上記実施例１及び２で示したパッドは、その一例を示したものであって、前記第１、第２凹部の形状に応じて適宜変更可能である。なお、第１、第２凹部及びパッドは、必要なければ、省略することが可能である。
【００５３】
上記実施例１及び２では、シールドケースは一対の前側端子及び後側端子を有しているとしたが、これに限定されるものではない。前側端子及び後側端子は省略可能であり、また、前側端子及び後側端子の何れか一方のみとすることも可能である。
【００５４】
上記実施例１及び２では、本発明に係るコネクタは、第１、第２ボディを備えているとしたが、少なくとも一つのボディを備えていれば良い。また、本発明に係るコネクタは、コンタクトについても少なくとも一種類のコンタクトを備えていれば良い。コンタクトは、ボディに埋設されている必要はなく、ボディに設けられた孔に挿入されるようになっていても良い。上記実施例１及び２では、コンタクトのテール部は、挿入方向に前後二列で配列されているとしたが、一列で配列することも可能である。また、テール部を垂下させ、基板のスルーホール電極に接続させることも可能である。
【００５５】
なお、上記実施例１及び２におけるレセプタクルコネクタの各部を構成する素材、形状、個数や寸法等はその一例を説明したものであって、同様の機能を実現し得る限り任意に設計変更することが可能である。また、上記実施例１及び２では、本発明の第１スロットは、ＨＤＭＩ  Ｔｙｐｅ  Ｄに、第２スロットはＨＤＭＩ以外の規格に対応するとしたが、前記第１、第２スロットは、Ｔｙｐｅ  Ｄ以外のＨＤＭＩの規格、ＨＤＭＩ以外の規格、また、相手側コネクタに応じて適宜設計変更することが可能である。例えば、第１、第２スロットの内形を同じとし、同じ相手側コネクタが接続可能とすることも可能である。また、本発明は、レセプタクルコネクタだけでなく、基板の端部にケーブルを接続することによりプラグコネクタとすることも可能である。また、上記実施例１及び２では、電子機器としてはテレビジョン受像機を例に挙げたが、これに限定されるものではない。
【符号の説明】
【００５６】
１０・・・・基板
２０・・・・プラグコネクタ
３０・・・・プラグコネクタ
４０・・・・プラグコネクタ
１００ａ・・第１ボディ
１６０ａ・補強部材
１００ｂ・・第２ボディ
２００ａ・・第１コンタクト
２００ｂ・・第２コンタクト
２００ｃ・・第３コンタクト
２００ｄ・・第４コンタクト
３００・・・シールドケース
３１０・・底板部
３１１・仕切り部（湾曲部）
３１２・凹部（仕切り部の凹面）
３１８・接合部
【図１】
2011243543.tif 000003
【図２】
2011243543.tif 000004
【図３】
2011243543.tif 000005
【図４】
2011243543.tif 000006
【図５】
2011243543.tif 000007
【図６】
2011243543.tif 000008
【図７】
2011243543.tif 000009
【図８】
2011243543.tif 000010
【図９】
2011243543.tif 000011
【図１０】
2011243543.tif 000012
【図１１】
2011243543.tif 000013
【図１２】
2011243543.tif 000014
【図１３】
2011243543.tif 000015
【図１４】
2011243543.tif 000016